(57)【要約】  本発明は、生タイヤ用のキャリア１に関する。キャリア１は、少なくとも２つの表面セクション１０．１、．．．、１０．８によって形成される、生タイヤを支持する支持面と、支持面を保持するキャリア構造体と、少なくとも２つの表面セクション１０．１、．．．、１０．８のうちの１つを形成する表面を有する、少なくとも１つの支持要素９．１、．．．、９．８とを備える。表面セクション１０．１、．．．、１０．８を有する少なくとも１つの支持要素９．１、．．．、９．８は、経路に沿って少なくとも２つの表面セクション１０．１、．．．、１０．８のうちの他の表面セクションに対して可動である。【選択図】図４
2016528117.tif 000002
【特許請求の範囲】
【請求項１】
生タイヤ用のキャリア（１）であって、
ａ）少なくとも２つの表面セクション（１０．１、．．．、１０．８、１１）によって形成される、前記生タイヤを支持する支持面（２）と、
ｂ）前記支持面（２）を保持するキャリア構造体（７）と、
ｃ）前記少なくとも２つの表面セクション（１０．１、．．．、１０．８）のうちの１つを形成する表面を有する、少なくとも１つの支持要素（９．１、．．．、９．８、１４．１、．．．、１４．４）とを備え、
表面セクション（１０．１、．．．、１０．８）を有する前記少なくとも１つの支持要素（９．１、．．．、９．８、１４．１、．．．、１４．４）は、経路に沿って前記少なくとも２つの表面セクション（１０．１、．．．、１０．８、１１）のうちの他の表面セクションに対して可動であることを特徴とする、キャリア。
【請求項２】
前記少なくとも１つの支持要素（９．１、．．．、９．８、１４．１、．．．、１４．４）のうちの１つ又は複数は、前記キャリア構造体（７）に可動に装着されることを特徴とする、請求項１に記載のキャリア。
【請求項３】
前記少なくとも１つの支持要素（９．１、．．．、９．８、１４．１、．．．、１４．４）のうちの１つ又は複数は、前記キャリア構造体（７）に対して変位可能であることを特徴とする、請求項１又は２に記載のキャリア。
【請求項４】
前記少なくとも１つの支持要素のうちの１つ又は複数は、フラップを備えることを特徴とする、請求項１又は２に記載のキャリア。
【請求項５】
前記経路は本質的に鉛直方向に向けられていることを特徴とする、請求項１〜４のいずれか１項に記載のキャリア。
【請求項６】
前記生タイヤを前記支持面（２）に配置し、重力によって前記支持面（２）上に保持することができるように、前記支持面（２）が上方を向く作業定位に前記キャリア（１）が配置されている場合、前記少なくとも１つの支持要素（９．１、．．．、９．８、１４．１、．．．、１４．４）は前記経路の第１端に配置されることを特徴とする、請求項１〜５のいずれか１項に記載のキャリア。
【請求項７】
前記少なくとも１つの支持要素（９．１、．．．、９．８、１４．１、．．．、１４．４）が前記経路の前記第１端に配置される場合、前記少なくとも１つの支持要素（９．１、．．．、９．８、１４．１、．．．、１４．４）の前記表面セクション（１０．１、．．．、１０．８、１１）は、第１位置に位置し、
前記少なくとも１つの支持要素（９．１、．．．、９．８、１４．１、．．．、１４．４）が前記経路の前記第１端から離される場合、前記少なくとも１つの支持要素（９．１、．．．、９．８、１４．１、．．．、１４．４）の前記表面セクション（１０．１、．．．、１０．８、１１）は、前記第１位置の上方に位置することを特徴とする、請求項６に記載のキャリア。
【請求項８】
前記キャリア（１）は、前記経路の前記第１端において前記少なくとも１つの支持要素（９．１、．．．、９．８、１４．１、．．．、１４．４）のうちの１つ又は複数の動きを停止するように構成されている第１止め具（１２．１、．．．、１２．８）を備えることを特徴とする、請求項６又は７に記載のキャリア。
【請求項９】
前記キャリア（１）は、前記経路の第２端において、前記少なくとも１つの支持要素（９．１、．．．、９．８、１４．１、．．．、１４．４）のうちの１つ又は複数の動きを停止するように構成されている第２止め具（１３．１、１３．２、１３．３）を備えることを特徴とする、請求項８に記載のキャリア。
【請求項１０】
前記少なくとも１つの支持要素（９．１、．．．、９．８、１４．１、．．．、１４．４）のうちの１つ又は複数は、弾性要素によって前記経路の前記第１端に向かって付勢されることを特徴とする、請求項６〜９のいずれか１項に記載のキャリア。
【請求項１１】
前記キャリア（１）は、前記少なくとも１つの支持要素（９．１、．．．、９．８、１４．１、．．．、１４．４）を２つ以上備えることを特徴とする、請求項１〜１０のいずれか１項に記載のキャリア。
【請求項１２】
前記２つ以上の支持要素（９．１、．．．、９．８、１４．１、．．．、１４．４）のうちの２つ以上が、前記経路に沿って共に可動であるように互いに接続されていることを特徴とする、請求項１１に記載のキャリア。
【請求項１３】
前記２つ以上の支持要素（９．１、９．３、９．５、９．７）のうちの１つ又は複数は、第１組の支持要素（９．１、９．３、９．５、９．７）に属しており、第１長さを有する第１経路に沿って可動であり、
前記２つ以上の支持要素（１４．１、．．．、１４．４）のうちの１つ又は複数は、第２組の支持要素（１４．１、．．．、１４．４）に属しており、第２長さを有する第２経路に沿って可動であることを特徴とする、請求項１１又は１２に記載のキャリア。
【請求項１４】
前記少なくとも２つの表面セクション（１０．１、．．．、１０．８、１１）のうちの少なくとも１つの表面セクション（１１）は、前記キャリア構造体（７）に固定されることを特徴とする、請求項１〜１３のいずれか１項に記載のキャリア。
【請求項１５】
前記キャリア（１）はパレットであることを特徴とする、請求項１〜１４のいずれか１項に記載のキャリア。
【発明の詳細な説明】
【技術分野】
【０００１】
本発明は、生タイヤを支持する支持面を有する生タイヤ用のキャリアに関する。支持面は、少なくとも２つの表面セクションによって形成される。キャリアは、支持面と少なくとも１つの支持要素とを保持するキャリア構造体を更に備える。少なくとも１つの支持要素は、少なくとも２つの表面セクションのうちの１つを形成する表面を有する。
【背景技術】
【０００２】
生タイヤを支持する支持面を有する生タイヤ用のキャリアが一般的に知られている。そのようなキャリアは、生タイヤを支持面に配置し且つ重力によって支持面上に保持することができるように、キャリアの支持面が上方を向く作業定位に配置することができる。したがって、以下で使用する「上方」、「上」、「上側」、「上向き」、「より高い」、「下方」、「下側」、「下」、「鉛直」、「鉛直に」、「水平」、及び「水平に」のような相対的な用語は、この作業定位に配置されているキャリアを基準とする。
【０００３】
生タイヤ用のキャリアの一例が、特許文献１（Sumitomoto Rubber Industries Ltd.）に記載されている。このキャリアの支持面は、内面セクション及び外面セクションを有する。双方の表面セクションは、円錐形状に従うが、下向きの円錐先端部を含まない。外面セクションは、内面セクションよりも緩やかな（flatter）傾斜を提供し、内面セクションの外周において内面セクションにつながっている。
【０００４】
このキャリアの欠点は、生タイヤとキャリアの支持面との間に大きい接触面積があることにより、保持される生タイヤがキャリアに粘着することである。この大きい接触面積により、粘着面積が大きくなり、ひいては生タイヤがキャリアに強力に粘着する。このキャリアの更なる欠点は、生タイヤの粘着が生タイヤごとに大きく変化し得ること、また、例えば周囲空気の温度及び湿度のような外部の影響に更に依存し得ることである。したがって、このようなキャリア及び生タイヤの取扱いを自動化することは非常に難しい。
【０００５】
生タイヤ用のキャリアの別の例は、特許文献２（Chengshan Group Co. Ltd.）に記載されている。このキャリアの支持面は、回転対称軸が鉛直に向いた状態で同心に配置されている２つのリングからなる。これらのリングのうちの一方は、もう一方のリングよりも直径が大きい。直径が大きい方のリングは、キャリアによって保持される生タイヤが双方のリングによって支持されるように、直径が小さい方のリングに比べて僅かに高い位置に配置されている。したがって、２つのリングは、キャリアの支持面の各表面セクションを形成する。これら２つの表面セクションは、特許文献１（Sumitomoto Rubber industries Ltd.）に記載のキャリアの表面セクションよりも小さい。したがって、生タイヤとキャリアとの間の接触面積もより小さい。結果として、特許文献１（Sumitomoto Rubber Industries Ltd.）によるキャリアよりも特許文献２（Chengshan Group Co. Ltd.）によるキャリアの方が、生タイヤが粘着しにくい。
【０００６】
特許文献２（Chengshan Group Co. Ltd.）によるキャリアによって粘着の問題は低減するものの、このキャリアには、表面セクションがより小さいことによって生タイヤに跡又は変形部が生じ、それにより、最終タイヤの品質が落ちるという欠点がある。
【先行技術文献】
【特許文献】
【０００７】
【特許文献１】欧州特許第０７６７０５１号
【特許文献２】中国特許出願公開第１０２０６００４４号
【発明の概要】
【発明が解決しようとする課題】
【０００８】
本発明の目的は、初めに述べた技術分野に関連する生タイヤ用のキャリアを創出し、これにより、より小さい力による生タイヤのキャリアからの取外しを可能にし、キャリアによって保持される生タイヤにおける望ましくない変形を防止することである。
【課題を解決するための手段】
【０００９】
本発明の解決策は請求項１の特徴によって特定される。本発明によれば、表面セクションを有する少なくとも１つの支持要素は、経路に沿って少なくとも２つの表面セクションのうちの他の表面セクションに対して可動である。表面セクションを有する少なくとも１つの支持要素のこの可動性は、能動的でもよいし受動的でもよい。すなわち、キャリアは、表面セクションを有する少なくとも１つの支持部材の、少なくとも２つの表面セクションのうちの他の表面セクションに対する動きを作動する何らかの手段を備えてもよく、又はこの動きを作動する手段を備えずに構成してもよい。
【００１０】
解決策として、キャリア構造体は任意の形態を有することができる。初めに述べたように、キャリア構造体が支持面及び少なくとも１つの支持要素を保持することが重要なだけである。したがって、キャリア構造体は、例えば、枠、骨組、又は平坦なシート状の形状とすることができる。別の例において、キャリア構造体は、何らかの充填体（filled body）又は空きスペースを有する何らかの構造体とすることができる。
【００１１】
同様に、支持面は任意の形態を有することができる。初めに述べたように、支持面が生タイヤを支持することが重要なだけである。したがって、支持面は連続面とすることができるか、又は互いに空間的に分離した部分を有することができる。このように分離した部分は、例えば少なくとも２つの表面セクションによって画定することができる。
【００１２】
少なくとも１つの支持要素が可動である効果は、少なくとも２つの表面セクションを互いに対して異なる位置に配置することができることである。少なくとも２つの表面セクションの特定の配置に応じて、生タイヤは、より少ない数又はより多くの数の表面セクションに接触することができる。したがって、本発明に係る解決策には、生タイヤの完全な取り外し前の少なくとも１つのステップにおいて、キャリアに接触する表面セクションの数を低減することができることから、キャリアから生タイヤをより容易に取り外すことが可能になるという利点がある。したがって、生タイヤの完全な取り外し前の少なくとも１つのステップで、生タイヤに粘着するキャリアの表面積を低減することができる。この段階的な取外しは、２つの表面セクション及び１つの支持要素を備えるキャリアにおいて示すことができる。ここでは、２つの表面セクションのうちの第１表面セクションは、キャリア構造体に固定されており、２つの表面セクションのうちの第２表面セクションは、支持要素上に位置し、したがって支持要素とともに可動である。生タイヤがこのキャリア上に保持される場合、生タイヤは双方の表面セクションに粘着し得る。したがって、この生タイヤをキャリアから取り外す場合、第１ステップにおいて生タイヤを第１表面セクションから取り外す。支持要素が生タイヤとともに第１表面セクションから離されるように、第１ステップの間、第２表面セクションは生タイヤに粘着したままである。続いて、第２ステップにおいて、生タイヤを第２表面セクション及びひいてはキャリアから取り外す。したがって、生タイヤは各ステップにおいて１つの表面セクションから取り外される。１つの表面セクションの粘着面積は支持面全体の粘着面積よりも小さいことから、キャリアから生タイヤを取り外すのに必要な時間あたりの力が低減する。
【００１３】
キャリアは、少なくとも２つの表面セクションが、生タイヤを支持する本質的に連続した面を形成する保持位置を提供することが有利である。この本質的に連続した面には、個々の表面セクション間に、本質的に連続した面の平面において測定される小さい又は大きいギャップがあってもよく、個々の表面セクション間に、それぞれの表面セクションの表面に対して垂直に測定される小さい段差があってもよい。表面セクション間にギャップ又は小さい段差があるかどうかに関わらず、本質的に連続した面は、保持される生タイヤが表面セクションの全てに接触し得ることを保証する。これには、キャリアによって保持される生タイヤを、生タイヤの望ましくない変形を防ぐように、大きい表面積で支持することができるという利点がある。
【００１４】
代替的には、キャリアはこのような保持位置を提供しなくてもよい。
【００１５】
キャリアがキャリア位置を提供する場合、キャリアは、少なくとも２つの表面セクションが不連続面を形成する少なくとも１つの取外し位置を有することが好ましい。キャリアがキャリア位置を提供しない場合、キャリアは、少なくとも２つの表面セクションが不連続面を形成する少なくとも２つの取外し位置を有することが好ましい。生タイヤが表面セクションの全てには同時に接触できないように、この不連続面は、最小の２つの表面セクションのうちの少なくとも２つの間に、表面セクションの表面に対して垂直に測定される段差を有する。この１つ又は複数の取外し位置の利点は、生タイヤが同時に接触する表面積を、保持位置から取外し位置へ、又は取外し位置から取外し位置へと低減させることができることである。したがって、生タイヤの粘着面積は、１つ又は複数のステップにおいて、保持位置から少なくとも１つの取外し位置のうちの１つへ、又は１つの取外し位置から別の取外し位置へと低減させることができる。したがって、少なくとも１つ又は少なくとも２つの取外し位置には、キャリアから生タイヤを取り外すのに必要な力が低減するという利点がある。
【００１６】
代替的には、キャリアはこのような取外し位置を提供しなくてもよい。
【００１７】
少なくとも１つの支持要素のうちの１つ又は複数は、キャリア構造体に可動に装着されることが有利である。好ましい一変形形態では、少なくとも１つの支持要素のうちの全てがキャリア構造体に可動に装着される。いずれの変形形態にも、キャリアに装着される少なくとも１つの支持要素の動きを最適に制御及びガイドすることができるという利点がある。
【００１８】
好ましい一変形形態において、少なくとも１つの支持要素のうちの１つ、２つ以上、又は全ては、キャリア構造体に可動に取り付けられる。これには、キャリアに取り付けられる少なくとも１つの支持要素の動きを最適に制御及びガイドすることができ、可動に取り付けられた支持要素がキャリアから意図せず外れる可能性がないという利点がある。したがって、キャリアの取扱いが簡単になる。
【００１９】
代替的には、支持要素は、キャリア構造体に可動に装着されたり可動に取り付けられたりしなくてもよい。
【００２０】
少なくとも１つの支持要素のうちの１つ又は複数は、キャリア構造体に対して変位可能であることが好ましい。好ましい一変形形態では、少なくとも１つの支持要素のうちの全てはキャリア構造体に対して変位可能である。いずれの変形形態にも、十分に制御された並進運動という利点があり、したがって、変位可能な各支持要素の十分に制御された動きが保証される。この十分に制御された並進運動を可能にするために、キャリアは、十分に制御された並進運動を可能にする任意の軸受を備えることができる。したがって、キャリアは、例えば１つ又は複数の長手方向軸受を備えることができる。
【００２１】
代替的には、少なくとも１つの支持要素は、キャリア構造体に対して変位可能でなくてもよい。
【００２２】
少なくとも１つの支持要素のうちの１つ又は複数はフラップを備えることが有利である。好ましい一変形形態では、少なくとも１つの支持要素の全てがそれぞれフラップを備える。いずれの場合でも、フラップを備えるこれらの支持要素の表面セクションは、全体的に又は少なくとも部分的にフラップ上に位置することが好ましい。これには、フラップが軸の回りに枢動可能であることから、十分に制御された枢動という利点があり、したがって支持要素及びその表面セクションの十分に制御され且つガイドされた動きが保証される。
【００２３】
少なくとも１つの支持要素のうちの１つ又は複数は、それぞれ２つ以上のフラップを備えることが好ましい。好ましい一変形形態では、少なくとも１つの支持要素の全ては２つ以上のフラップを備える。いずれの場合でも、フラップは、それぞれの支持要素の表面セクションを複数のサブセクションに分割し、その数は、それぞれの支持要素のフラップの数に対応する。第１の好ましい変形形態では、２つ以上のフラップは、それぞれの支持要素で互いに独立して構成されている。これには、それぞれの支持要素の丈夫な構成が可能であるという利点がある。第２の好ましい変形形態では、２つ以上のフラップは、フラップを互いに対して相対的に傾ける場合に、それぞれの支持要素の表面セクションのサブセクションが互いにつながったままであるように互いに構成される。これには、表面セクションが弾性の折曲げ可能な材料から作製されている場合と同様に、それぞれの支持要素の表面セクションを、粘着しているタイヤから取り外すことができるという利点がある。フラップのいずれの構成にも、生タイヤをサブセクションから連続的に取り外すことができるという利点がある。したがって、キャリアから生タイヤを取り外すのに必要な力が低減される。
【００２４】
キャリアが２つ以上の支持要素を備える場合、好ましい一変形形態では、支持要素のうちの１つ又は複数がキャリア構造体に対して変位可能であり、一方、支持要素のうちの他の１つ又は複数は、１つ又は２つ以上のフラップをそれぞれ備える。これには、支持要素の十分に制御され且つガイドされた動きを保証し、一方でキャリアから生タイヤを取り外すのに必要な力が低減されるという利点がある。
【００２５】
好ましい一変形形態において、少なくとも１つの支持要素のうちの１つ、２つ以上、又は全ては、キャリア構造体に対して変位可能であるとともに、１つ、２つ又はより多くのフラップを備える。そのような支持要素を備えるキャリアから生タイヤを取り外す場合、生タイヤは、第１ステップにおいて、支持要素が変位されるようにそれぞれの支持要素の表面セクションに粘着でき、一方で他の表面セクションから取り外される。第２ステップにおいて、支持要素のフラップは、生タイヤがそれぞれの支持要素の表面セクションから同様に取り外されるように枢動させることができる。したがって、このような支持要素のいずれにも、キャリアから生タイヤを取り外すのに必要な力が低減されるという利点がある。
【００２６】
代替的には、少なくとも１つの支持要素はフラップを備えなくてもよい。
【００２７】
少なくとも１つの支持要素のいずれかがキャリア構造体に対して変位可能であるかどうか、又は少なくとも１つの支持要素のいずれかが１つ又は複数のフラップを含むかどうかに関わらず、表面セクションを有する少なくとも１つの支持要素がそれに沿って可動である経路は、本質的に鉛直方向に向いていることが好ましい。これには、キャリアによって保持される生タイヤを、異なる表面セクションから生タイヤが連続的に取り外されるように、本質的に鉛直方向にキャリアから離すことができるという利点がある。これは、キャリア及び生タイヤの取扱いを自動化する場合に特に有利である。
【００２８】
代替的には、経路は異なる方向を向いていてもよい。生タイヤをキャリアから取り外すべき方向によっては、そのような代替形態も同様に有利である。
【００２９】
少なくとも１つの支持要素は、生タイヤが支持面に配置され且つ重力によって支持面上に保持できるように支持面が上方を向く作業定位でキャリアが配置されている場合、経路の第１端に配置されることが好ましい。したがって、生タイヤを支持面に置く場合、少なくとも１つの支持要素は経路の第１端に配置される。これには、支持面に置かれている生タイヤの重量を、少なくとも１つの支持要素の表面セクション及び場合によっては他の表面セクションにわたって分散することができるという利点がある。したがって、生タイヤの重量は、生タイヤの望ましくない変形を防止するように広い面積にわたって分散される。
【００３０】
代替的には、少なくとも１つの支持要素は、生タイヤが支持面に配置され且つ重力によって支持面上に保持することができるように支持面が上方を向く作業定位でキャリアが配置されている場合、経路の第１端に配置されない。
【００３１】
有利には、少なくとも１つの支持要素の表面セクションは、少なくとも１つの支持要素が経路の第１端に配置される場合、第１位置に位置し、少なくとも１つの支持要素の表面セクションは、少なくとも１つの支持要素が経路の第１端から離される場合、第１位置の上方に位置する。したがって、少なくとも１つの支持要素の表面セクションは、少なくとも１つの支持要素が経路の第１端から離される場合、より高い位置に位置する。より高い位置は、第１位置に対して水平方向に変位させることができる。水平方向に変位されるか否かに関わらず、より高い位置には、生タイヤが異なる表面セクションから連続的に取り外されるように、キャリアによって保持される生タイヤをキャリアから本質的に上方向に取り外すことができるという利点がある。これは、キャリア及び生タイヤの手による取扱いが簡単にする。さらに、これは、キャリア及び生タイヤの取扱いの自動化も簡単にする。
【００３２】
代替的に、少なくとも１つの支持要素の表面セクションは、少なくとも１つの支持要素が経路の第１端から離される場合、第１位置の上方に位置しなくてもよい。キャリアから生タイヤが取外し可能であるべき方向によっては、このような代替形態も同様に有利になり得る。
【００３３】
生タイヤが作業定位に配置されるときに少なくとも１つの支持要素が経路の第１端に配置される場合、キャリアは、経路の第１端において少なくとも１つの支持要素のうちの１つ又は複数の動きを停止するように構成されている第１止め具（arrestor）を備えることが好ましい。したがって、関係する支持要素が経路の第１端を越えて移動することが防止される。第１の好ましい変形形態において、キャリアは、上記経路の第１端において少なくとも１つの支持要素の全ての動きを停止するように構成されている単一の第１止め具を備える。第２の好ましい変形形態において、キャリアは２つ以上の第１止め具を備える。第３の好ましい変形形態において、キャリアは、経路の第１端において停止される少なくとも１つの支持要素の数と少なくとも同じ数の第１止め具を備える。第１止め具は、経路の第１端において停止される少なくとも１つの支持要素のそれぞれが、第１止め具の別の１つ又は複数によって停止されるように構成されている。したがって、経路の第１端において停止される少なくとも１つの支持要素のうちの１つ、２つ以上、又は全ては、１つ、２つ、又は３つ以上の第１止め具によって経路の第１端において停止することができる。
【００３４】
キャリアが備える第１止め具が１つであるか複数であるかに関わらず、各第１止め具は、キャリア構造体に配置することができるか、又は経路の第１端において停止される少なくとも１つの支持要素のそれぞれに配置することができる。代替的には、各第１止め具は２つの反作用要素を含むことができ、そのうち、１つはキャリア構造体に配置され、１つは、経路の第１端において停止される少なくとも１つの支持要素のそれぞれに配置される。
【００３５】
第１止め具の数及び１つ又は複数の第１止め具の正確な構造に関わらず、第１止め具には、少なくとも１つの支持要素が経路の第１端に到達すると、少なくとも１つの支持要素の動きが効果的に停止されるという利点がある。したがって、キャリアは粗雑な使用に対して非常に丈夫である。
【００３６】
代替的には、キャリアはそのような第１止め具を備えなくてもよい。そのような代替形態は、キャリアの構造をより単純にするべき場合に有利とすることができる。
【００３７】
キャリアは、経路の第２端において少なくとも１つの支持要素のうちの１つ又は複数の動きを停止するように構成されている第２止め具を備えることが有利である。したがって、関係する支持要素が経路の第２端を越えて移動することが防止される。第１の好ましい変形形態において、キャリアは、経路の第２端において少なくとも１つの支持要素の全ての動きを停止するように構成されている単一の第２止め具を備える。第２の好ましい変形形態において、キャリアは２つ以上の第２止め具を備える。第３の好ましい変形形態において、キャリアは、経路の第２端において停止される少なくとも１つの支持要素の数と少なくとも同じ数の第２止め具を備える。第２止め具は、経路の第２端において停止される少なくとも１つの支持要素のそれぞれが、第２止め具のうちの別の１つ又は複数によって停止されるように構成されている。したがって、経路の第２端において停止される少なくとも１つの支持要素のうちの１つ、２つ以上、又は全ては、１つ、２つ、又は３つ以上の第２止め具によって、経路の第２端において停止することができる。
【００３８】
キャリアが備える第２止め具が１つであるか複数であるかに関わらず、各第２止め具は、キャリア構造体に配置することができるか、又は経路の第２端において停止される少なくとも１つの支持要素のそれぞれに配置することができる。さらに、各第２止め具は、２つの反作用要素を含むことができ、そのうち、１つはキャリア構造体に配置され、１つは経路の第２端において停止する少なくとも１つの支持要素のそれぞれに配置される。
【００３９】
第２止め具の数及び１つ又は複数の第２止め具の正確な構造に関わらず、第２止め具には、少なくとも１つの支持要素が経路の第２端に到達すると、少なくとも１つの支持要素の動きが効果的に停止されるという利点がある。したがって、キャリアは粗雑な使用に対して非常に丈夫である。
【００４０】
代替的には、キャリアはそのような第２止め具を備えなくてもよい。そのような代替形態は、キャリアの構造をより単純にするべき場合に有利とすることができる。
【００４１】
表面セクションを有する少なくとも１つの支持要素は、経路に沿って少なくとも２つの表面セクションのうちの他の表面セクションに対して受動的に可動であることが有利である。すなわち、キャリアは、表面セクションを有する少なくとも１つの支持要素の、少なくとも２つの表面セクションのうちの他の表面セクションに対する動きを作動するための作動手段を備えない。これには、キャリアの構造が単純であるという利点があるため費用効果的であり、一方で同時に、キャリアを広範に用いる場合に欠陥が生じやすい作動手段がないため、キャリアに欠陥が生じにくい。
【００４２】
代替的には、キャリアは、少なくとも１つの支持要素のうちの１つ又は複数の経路に沿った動きを作動する何らかの作動手段を備えてもよい。
【００４３】
少なくとも１つの支持要素のうちの１つ又は複数は、経路の第１端に向かって弾性要素によって付勢されることが好ましい。少なくとも１つの支持要素の全ては、経路の第１端に向かって弾性要素によって付勢されることが有利である。いずれの場合でも、キャリアは、第１の好ましい変形形態において、経路の第１端に向かって少なくとも１つの支持要素の全ての動きを付勢するように構成されている単一の弾性要素を備える。第２の好ましい変形形態において、キャリアは２つ以上の弾性要素を備える。第３の好ましい変形形態において、キャリアは、経路の第１端に向かって付勢される少なくとも１つの支持要素の数と少なくとも同じ数の弾性要素を備える。弾性要素は、経路の第１端に向かって付勢される少なくとも１つの支持要素のそれぞれが、経路の第１端に向かって弾性要素のうちの別の１つ又は複数によって付勢されるように配置されている。したがって、経路の第１端に向かって付勢される少なくとも１つの支持要素のうちの１つ、２つ以上、又は全ては、１つ、２つ、又は３つ以上の弾性要素によって、経路の第１端に向かって付勢することができる。
【００４４】
これには、弾性要素の数に関わらず、それぞれの支持要素に外力が作用しない場合、付勢された各支持要素が、経路の第１端に向かって移動するという利点がある。さらに、キャリアによって保持される生タイヤをキャリアから取り外す場合、付勢された各支持要素の表面セクションは生タイヤに粘着していることができ、弾性要素にかかる力が、付勢された支持要素を生タイヤから解放するのに十分大きくなる時点まで、支持要素が弾性要素の力に抗して経路の第１端から離されるようになっている。したがって、弾性要素は、付勢された支持要素の表面セクションに生タイヤが粘着する力に達するまで、付勢された支持要素が生タイヤから解放される時点を動的に調整することが可能になる。
【００４５】
これらの利点は、１つ又は複数の弾性要素の形態に関わらず得られる。一例を挙げると、１つ又は複数の弾性要素は、それぞればねとすることができるか、又はそれぞれ何らかの弾性材料で作製することができる。しかし当然ながら、１つ又は複数の弾性要素は、何らかの他の形態を同様に有することもできる。
【００４６】
代替的には、キャリアは、少なくとも１つの支持要素のうちの１つ又は複数を経路の第１端に向かって付勢する弾性要素を備えなくてもよい。
【００４７】
キャリアは、少なくとも１つの支持要素を３つ以上備えることが好ましい。これには、３つ以上の支持要素をキャリアの支持面にわたって分散させることができるという利点がある。
【００４８】
代替的には、キャリアは支持要素を１つのみ備えてもよい。そのような代替形態には、キャリアの構造がより単純になり、そのため費用があまりかからないという利点がある。
【００４９】
キャリアが３つ以上の支持要素を備える場合、３つ以上の支持要素のうちの３つ以上が、経路に沿ってともに可動であるように互いに接続されることが好ましい。これらの３つ以上の支持要素の接続部は、キャリアによって保持される生タイヤに接触せず、したがってキャリアの支持面の一部を形成しないように構成される。これには、接続された３つ以上の支持要素が協働して可動であるという利点がある。したがって、キャリア及びキャリアによって保持される任意の生タイヤの取扱いが簡単になる。
【００５０】
好ましい一変形形態では、接続された３つ以上の支持要素の接続部はキャリアの下側に位置する。更なる好ましい一変形形態では、３つ以上の支持要素の接続部はキャリアの上側に位置する。双方の変形形態には、接続された３つ以上の支持要素の接続部がキャリア構造体から十分に分離されるという利点がある。したがって、接続された３つ以上の支持要素の自由な動きが保証される。
【００５１】
代替的には、３つ以上の支持要素は互いに接続されない。そのような代替形態には、支持要素が個別に可動であるという利点がある。さらに、そのような代替形態には、支持要素を、何らかの損傷の際、個別に取り替えることができるという利点がある。
【００５２】
キャリアが３つ以上の支持要素を備える場合、３つ以上の支持要素のうちの１つ又は複数が支持要素の第１組に属するとともに、第１長さを有する第１経路に沿って可動であり、３つ以上の支持要素のうちの１つ又は複数が支持要素の第２組に属するとともに、第２長さを有する第２経路に沿って可動であることが有利である。これには、キャリアから生タイヤを取り外す異なる２つの段階（stages）において、粘着する生タイヤから解放されるように、異なる２つの距離に沿って支持要素が可動であるため、生タイヤに接触する表面積を２つのステップにおいて低減することができるという利点がある。したがって、２組の支持要素には、キャリアから生タイヤを取り外すのに必要な力が低減するという利点がある。当然ながら、キャリアが、異なる長さを有する経路に沿って可動である３組以上の支持要素を備える場合も、この利点が維持される。
【００５３】
第１の好ましい変形形態において、第１組の支持要素が２つ以上の支持要素を備える場合、第１組の支持要素に属する支持要素が、第１経路に沿ってともに可動であるように互いに接続される。第２の好ましい変形形態において、第１組の支持要素及び第２組の支持要素が双方とも２つ以上の支持要素を備える場合、第１組の支持要素に属する支持要素が第１経路に沿ってともに可動であるように互いに接続され、第２組の支持要素に属する支持要素が第２経路に沿ってともに可動であるように互いに接続される。キャリアが、異なる長さを有する経路に沿って可動である３組以上の支持要素を備える場合であり、これらの組が２つ以上の支持要素を含む場合、支持要素の特定の組に属する支持要素は、第３の好ましい変形形態において、特定の組の支持要素の経路に沿ってともに可動であるように互いに接続される。いずれの場合でも、支持要素は、キャリアの下側又は上側において接続することができる。接続部のこのような構成には、接続される３つ以上の支持要素の自由な動きが保証されるという利点がある。代替的には、上記接続部は別様に構成してもよい。
【００５４】
接続部の構成に関わらず、３つ以上の支持要素の接続部には、接続される３つ以上の支持要素が協働して可動であるという利点がある。したがって、このような接続によって、キャリア及びキャリアによって保持される任意の生タイヤの取扱いが簡単になる。
【００５５】
代替的には、同じ長さを有する経路に沿って可動である１組の支持要素に属する支持要素は接続されない。このような代替形態には、関係する支持要素を、何らかの損傷の際、容易に取り替えることができるという利点がある。
【００５６】
特定の組の支持要素に応じた長さを有する経路に沿って、３組以上の支持要素が可動である、これらの変形形態に対する一代替形態として、キャリアは、特定の組の支持要素に応じた長さを有する経路に沿って可動である３組以上の支持要素を備えなくてもよい。このような代替形態には、キャリアの構造がより簡単になり、そのためより安価になるという利点がある。
【００５７】
キャリアが、異なる長さを有する経路に沿って可動である３組以上の支持要素を備える場合、異なる組の支持要素は規則的なパターンで配置されることが好ましい。これには、支持要素の同じ組に属する支持要素の表面セクションから生タイヤを一度に取り外す場合、生タイヤに捻りモーメントが作用しないように、各組の支持要素に属する支持要素を配置することができるという利点がある。したがって、規則的なパターンの３組以上の支持要素の構成には、キャリア及びキャリアによって保持される生タイヤの取扱いが簡単になるという利点がある。
【００５８】
第１の好ましい変形形態において、３組以上の支持要素はそれぞれ２つ、３つ、４つ、又はより多くの支持要素を含み、各支持要素のうちの最も近く隣接するものは、それぞれの支持要素とは異なる組の支持要素に属している。これには、同じ組の支持要素に属する支持要素が支持面にわたって分散され、そのため、生タイヤをキャリアから取り外す場合、生タイヤに捻りモーメントが作用しないという利点がある。したがって、キャリア及びキャリアによって保持される生タイヤの取扱いが簡単になる。
【００５９】
第２の好ましい変形形態において、３組以上の支持要素のうちの１つ又は複数は単一の支持要素を備え、一方、他の組の支持要素はそれぞれ２つ、３つ、４つ又はより多くの支持要素を備える。これにも同様に、同じ組の支持要素に属する支持要素の表面セクションから生タイヤを一度に取り外す場合、生タイヤに捻りモーメントが作用しないように支持要素を構成することができるという利点がある。
【００６０】
第３の好ましい変形形態において、２組以上の支持要素はそれぞれ単一の支持要素を備える。これには、各支持要素が、異なる長さを有する経路に沿って可動であるという利点がある。この場合、支持要素は、隣り合う支持要素に移るごとに経路の長さがより長くなる連続物を構成することが好ましい。一変形形態において、支持要素の異なる連続物も同様に可能である。
【００６１】
代替的には、異なる組の支持要素は規則的なパターンに構成されない。
【００６２】
少なくとも２つの表面セクションのうちの少なくとも１つの表面セクションは、キャリア構造体に固定されることが好ましい。一変形形態、好ましい変形形態において、少なくとも２つの表面セクションのうちの少なくとも１つの表面セクションがキャリア構造体と一体的に形成される。双方の変形形態には、キャリアから生タイヤを取り外す場合、第１ステップにおいて、キャリアによって保持される生タイヤが、キャリア構造体に固定されるか又はキャリア構造体と一体的に形成される少なくとも１つの表面セクションから取り外され、１つ又は複数の更なるステップにおいて、他の表面セクションから取り外されるという利点がある。したがって、キャリアから生タイヤを取り外すのに必要な力が低減する。
【００６３】
キャリアが３つ以上の支持要素を備える場合であり、上記少なくとも２つの表面セクションのうちの少なくとも１つの表面セクションがキャリア構造体に固定されるか又はキャリア構造体と一体的に形成される場合、キャリアは少なくとも３つの表面セクションを備えることが好ましく、３つ以上の支持要素の表面セクションは、各自の間にスペースを置いて支持面にわたって分散されていることが好ましい。これらのスペースは、例えば、キャリア構造体に固定されるか又はキャリア構造体と一体的に形成される、上記少なくとも３つの表面セクションのうちの少なくとも１つの表面セクションによって埋めることができる。これには、キャリアによって保持される生タイヤがキャリアから取り外される場合、生タイヤに粘着できる支持要素の表面セクションが、支持面にわたって、ひいては生タイヤの本体にわたって分散されるという利点がある。したがって、キャリアから生タイヤが取り外される場合、生タイヤに捻りモーメントが作用しない。したがって、２つ以上の支持要素を分散させることには、キャリア及びキャリアによって保持される生タイヤの取扱いがより簡単になるという利点がある。
【００６４】
代替的には、少なくとも１つの表面セクションは、キャリア構造体に固定されたり、キャリア構造体と一体的に形成されたりしない。この場合、少なくとも１つの支持要素の表面セクションは支持面を形成する。このような代替形態には、関係する支持要素を取り替えることによって全ての表面セクションを取り替えることができるという利点がある。したがって、キャリアの保守管理が簡単になる。
【００６５】
キャリアは合成材料から作製されることが有利である。例えば、キャリアはプラスチック又は繊維強化プラスチックから作製することができる。好ましい一変形形態において、キャリアは、例えば、鋼又はアルミニウムのような金属から作製される。更なる好ましい一変形形態において、キャリア構造体は、例えば、鋼又はアルミニウムのような金属から作製されるが、少なくとも１つの支持要素は、例えば、プラスチック又は繊維強化プラスチックのような合成材料から作製される。この場合、少なくとも２つの表面セクションのうちの少なくとも１つの表面セクションがキャリア構造体に固定される場合、この表面セクションは、例えば、鋼又はアルミニウムのような金属から作製してもよく、例えば、プラスチック又は繊維強化プラスチックのような合成材料から作製してもよい。
【００６６】
代替的には、キャリア、キャリア構造体、又は少なくとも１つの支持要素は、それぞれ、異なる材料又は異なる材料の組合せから作製することができる。
【００６７】
支持面は円錐形状であることが好ましい。これには、生タイヤを、望ましくない変形を起こさずにキャリアによって保持することができるという利点がある。この利点は、支持面が円錐の先端部を有するか否かに関わらず得られる。さらに、この利点は円錐の傾斜に関わらず得られる。
【００６８】
好ましい一変形形態において、支持面は、２つ以上の合体した円錐形状である。この形状は、特許文献１（Sumitomoto Rubber Industries Ltd．）に記載のキャリアの形状に類似することができる。これにも同様に、生タイヤを、望ましくない変形を起こさずにキャリアによって保持することができるという利点がある。
【００６９】
代替的には、支持面は、円錐形状又は２つ以上の合体した円錐形状とは異なる形状である。
【００７０】
表面セクションの表面は構造化されることが有利である。例えば、これらの表面は、統計学的な凹凸（statistical roughness）又はより高い部分とより低い部分とを有する規則的若しくは不規則的なパターンを有することができる。表面がパターンを有する場合、パターンは、表面から突出するか若しくは表面の窪みである畝又は半球によって形成することができる。表面がパターンを有する場合、パターンのより高い部分は、表面のうちの６７％、５０％、又は３３％未満をカバーすることが好ましい。さらに、平均表面高さに対して垂直に測定されるパターンのより高い部分とより低い部分との間の距離は、有利には２ｍｍ未満であり、特に１ｍｍ未満である。更により好ましくは、平均表面高さに対して垂直に測定されるパターンのより高い部分とより低い部分との間の距離は、０．５ｍｍ未満である。そのように構造化された表面には、粘着する生タイヤをより小さい力で表面から取り外すことができるという利点がある。
【００７１】
代替的には、表面セクションの表面は構造化されていない。これには表面セクションの製造がより簡単になるという利点がある。
【００７２】
キャリアはパレットであることが好ましい。これには、キャリアの取扱いが簡単になり、容易に自動化することができるという利点がある。
【００７３】
代替的には、キャリアはパレットではない。
【００７４】
キャリアは、重ねて保管することが可能に形付けられることが有利である。これには、使用していないキャリアを積み上げることができるため、キャリアの取扱いが簡単になるという利点がある。
【００７５】
代替的には、キャリアは、重ねて保管するために設計されていない形状を有する。これには、キャリア形状を他の目的にとって最適化することができるように、キャリアの設計の制限をより少なくするという利点がある。
【００７６】
キャリアは、それぞれが生タイヤを支持する２つ以上の支持面を有することが好ましい。支持面のそれぞれは少なくとも２つの表面セクションによって形成される。支持面ごとに、それぞれの支持面の少なくとも２つの表面セクションのうちの１つを形成する表面を含む少なくとも１つの支持要素が設けられる。表面セクションを有する少なくとも１つの支持要素は、経路に沿ってそれぞれの支持面の少なくとも２つの表面セクションのうちの他の表面セクションに対して可動である。これには、２つ以上の生タイヤを、望ましくない変形を起こさずに、また互いに粘着することなく、１つのキャリアによって保持することができるという利点がある。この利点は、支持要素のうちの１つ又は複数が、異なる支持面に属する２つ以上の表面セクションを有するか否かに関わらず得られる。
【００７７】
好ましい変形形態において、２つ以上の支持面のうちの１つ、２つ以上、又は全てが、キャリア関して包括的に上述した特徴のうちの１つ又は複数を提示することができる。
【００７８】
代替的には、キャリアは、１つの生タイヤを保持する単一の支持面を備える。そのような代替形態には、生タイヤを載置した場合に、キャリアの嵩がより低く、重量がより軽くなるという利点がある。したがって、そのような代替形態には、キャリアの取扱いがより簡単になるという利点がある。
【００７９】
他の有利な実施形態及び特徴の組合せは、以下の詳細な記載及び特許請求の範囲の全体から明らかとなる。
【００８０】
実施形態を説明するために使用される図面を以下に示す。図において、同じ構成要素には同じ参照符号を付与している。
【図面の簡単な説明】
【００８１】
【図１】本発明に係るキャリアであるパレットの斜視図である。
【図２】本発明に係るパレットのキャリア構造体の斜視図である。
【図３】本発明に係るパレットの支持要素の斜視図である。
【図４】支持要素を備えるパレットの斜視図である。
【図５】本発明に係る第２パレットの８つの支持要素の上面図である。
【発明を実施するための形態】
【００８２】
図１は、本発明に係るキャリアであるパレット１の斜視図を示している。このパレット１は、支持面２を有し、パレット１によって保持される生タイヤを受けるように支持面２が上方を向く作業定位で示されている。
【００８３】
パレット１の支持面２は、倒立した円錐体５に類似する。この円錐体５の開放した基部（base）は上方を向いている。したがって、上方を向く円錐体５の内面は、生タイヤを受ける支持面２の一部である。円錐体５の上端には、パレット１の平坦な正方形体３が円錐体５の基部につながっている。この平坦な正方形体３は、水平方向を向いており、支持面２の円錐体５の基部を取り囲んでいる。したがって、パレット１は、支持面２又は支持面２上に保持されている生タイヤに接触することなく把持され、平坦な正方形体３上に保持されることができる。したがって、平坦な正方形体３により、パレット１の取扱いが容易になり、生タイヤの載置されたパレット１をラックに保管することが可能になる。本発明の他の実施形態において、平坦な正方形体３は、異なる形状のもの（body）であってもよい。本発明の更に別の実施形態では、そのようなものが全くなくてもよい。
【００８４】
支持面２は、円錐体５の基部を起点として、円錐体５の表面が先端に向かって合流する方向において下向きに円錐体５に従う。支持面２は、先端に完全に合流する前に、パレット１の平坦な正方形体３に対して平行な向きのリング４において終端する。このリング４の上向きの面及び円錐体５の上向きの面は、支持面２の第１表面セクション１１をともに形成する。
【００８５】
リング４には、リング４の円周の回りに等しい立体角で設けられた８つの開口部８．１、．．．、８．８がある（図２を参照）。これらの８つの開口部８．１、．．．、８．８のそれぞれは、リング４から円錐体５を横切って円錐体５の基部まで径方向に延在し、リング４及び円錐体５の下側から上側への通路をそれぞれ形成する。これらの開口部８．１、．．．、８．８のそれぞれには、支持要素９．１、．．．、９．８が鉛直方向に可動であるように装着されている。これらの支持要素９．１、．．．、９．８は、リング４及び円錐体５の周囲の第１表面セクション１１にそれぞれ連続して適合する上向きの表面セクション１０．１、．．．、１０．８を有する。したがって、表面セクション１０．１、．．．、１０．８及び第１表面セクション１１は、パレット１の支持面２をともに形成する。
【００８６】
図２は、パレット１のキャリア構造体７の斜視図を示している。このキャリア構造体７は、平坦な正方形体３、円錐体５、及びリング４によって一体的に形成されている。したがって、円錐体５及びリング４における開口部８．１、．．．、８．８は、キャリア構造体７における開口部８．１、．．．、８．８である。
【００８７】
図２には支持要素９．１、．．．、９．８を示していないため、キャリア構造体７における開口部８．１、．．．、８．８が明確に見て取れる。したがって、開口部８．１、．．．、８．８のそれぞれが、上側に第１表面セクション１１への境界に沿った溝を提供していることが見て取れる。さらに、このリング４及び円錐体５の上向きの面によって形成される第１表面セクション１１は、キャリア構造体７の一体部分であることが明確に見て取れる。本発明の別の実施形態において、第１表面セクション１１は、キャリア構造体７に固定されている１つ又は複数の要素とすることができる。本発明の更に別の実施形態では、キャリア構造体７に固定されるか又はキャリア構造体７と一体的に形成される第１表面セクションがなくてもよい。表面セクションのそれぞれが支持要素に属する場合、又は第１表面セクションが取替え可能である場合、パレットの支持面は、支持要素及び場合によっては第１表面セクションを取り替えることによって変更することができる。例えば、より急な又はより緩やかな傾斜の表面セクションを用いてもよい。したがって、同じキャリア構造体が、より急な又はより緩やかな円錐形状に従う支持面を提供することができる。したがって、そのようなパレットは種々のタイプの生タイヤに容易に適合することができる。
【００８８】
図３は、キャリア構造体７における開口部８．１、．．．、８．８に収まるように構成された、パレット１の支持要素９．１、．．．、９．８の斜視図を示している。キャリア構造体７が図示されていないため、支持要素９．１、．．．、９．８のそれぞれが本体を有していることを見て取ることができる。これらの本体のそれぞれの外寸は、それぞれの本体が、キャリア構造体７における開口部８．１、．．．、８．８のうちの１つに適合するようになっている。
【００８９】
各支持要素９．１、．．．、９．８において、本体の上側は、それぞれの支持要素９．１、．．．、９．８の表面セクション１０．１、．．．、１０．８によって覆われている。それにより、表面セクション１０．１、．．．、１０．８は、それぞれの開口部８．１、．．．、８．８の第１表面セクション１１への境界に沿った溝を埋める範囲で、各方向に本体を僅かに飛び出している。したがって、各支持要素９．１、．．．、９．８は、それぞれの開口部８．１、．．．、８．８において、それぞれの支持要素９．１、．．．、９．８の表面セクション１０．１、．．．、１０．８の上面が周囲の第１表面セクション１１の上面と同じ高さにある第１位置に沈み込むことができる。そこでは、それぞれの支持要素９．１、．．．、９．８の更に下への移動が停止される。したがって、表面セクション１０．１、．．．、１０．８の飛び出した部分は、第１止め具１２．１、．．．、１２．８として作用する。
【００９０】
支持要素９．１、．．．、９．８は、第１位置に配置されている場合、キャリア構造体７に対して更に下へ移動することができない。これらの第１位置において、支持要素９．１、．．．、９．８の表面セクション１０．１、．．．、１０．８の上面は、周囲の第１表面セクションの上面と同じ高さにある。したがって、支持要素９．１、．．．、９．８が第１位置に配置されている場合、パレット１によって保持される生タイヤの重量が、第１表面セクション１１及び支持要素９．１、．．．、９．８の表面セクション１０．１、．．．、１０．８にわたって分散される。したがって、支持要素９．１、．．．、９．８が第１位置に配置される場合、パレット１は保持位置に配置される（図１を参照）。
【００９１】
既に述べたように、支持要素９．１、．．．、９．８は、鉛直方向に可動であるように開口部８．１、．．．、８．８に装着され、キャリア構造体７に対して第１位置よりも更に下へ移動することができない。したがって、支持要素９．１、．．．、９．８は、支持要素９．１、．．．、９．８が第１位置に配置される場合、支持要素９．１、．．．、９．８がそれに沿って可動である経路の第１端に配置される。
【００９２】
支持要素９．１、．．．、９．８は、第１位置を起点として、経路に沿って上方に移動することができる。支持要素９．１、．．．、９．８は、或る距離を移動した後、経路の第２端において、いくつかの第２止め具１３．１、１３．２、１３．３によって停止する。これらの第２止め具１３．１、１３．２、１３．３は、水平方向を向いた歯のような形状をしている。４つの第２止め具が、支持要素９．１、．．．、９．８のそれぞれに取り付けられる。より正確には、４つの第２止め具は、鉛直方向に間隔をおいて、表面セクション１０．１、．．．、１０．８の重なり部分の下の、それぞれの支持要素９．１、．．．、９．８の本体の円周の回りに配置される。したがって、支持要素９．１、．．．、９．８が開口部８．１、．．．、８．８に装着される場合、第２止め具１３．１、１３．２、１３．３はキャリア構造体７の下方に位置し、支持要素９．１、．．．、９．８が経路の第２端に向かって上方に移動する場合、キャリア構造体７の下面に当たる。
【００９３】
図４は、支持要素９．１、．．．、９．８が経路の第２端に移動した状態のパレット１の斜視図を示している。したがって、支持要素９．１、．．．、９．８の表面セクション１０．１、．．．、１０．８は、第１表面セクション１１に比べて高い位置に位置していることを見て取ることができる。
【００９４】
生タイヤをパレット１の支持面２に置く場合、支持要素９．１、．．．、９．８は、パレット１が、図１に示されている保持位置になるように第１位置に移動される。生タイヤは、支持面２上に保管される場合、支持面２に粘着する。パレット１から生タイヤを取り外すためには、生タイヤが支持面２に粘着する力に打ち勝つ必要がある。生タイヤの望ましくない変形を防止するために生タイヤと支持面２との間に大きい接触面積があるため、この力は大きい。
【００９５】
生タイヤをパレット１から取り外す場合、支持要素９．１、．．．、９．８の表面セクション１０．１、．．．、１０．８が生タイヤに粘着し、支持要素９．１、．．．、９．８は、第１ステップにおける生タイヤの第１位置から離れる移動によって移動する。したがって、この第１ステップの間、生タイヤは第１表面セクション１１のみから取り外される。これに必要な力は、支持面２全体から一度に生タイヤを取り外すよりも小さい。専ら第２ステップにおいて、支持要素９．１、．．．、９．８が経路の第２端に到達し、第２止め具１３．１、１３．２、１３．３によって停止されると、生タイヤは支持要素９．１、．．．、９．８の表面セクション１０．１、．．．、１０．８からも取り外される。ここでも、これに必要な力は、支持面２全体から一度に生タイヤを取り外すよりも小さい。したがって、パレット１により、支持面２から生タイヤを取り外すことがより容易になる。
【００９６】
パレット１から生タイヤを取り外すのに必要な力を更に低減するために、第１表面セクション１１の表面と支持要素９．１、．．．、９．８の表面セクション１０．１、．．．、１０．８とが構造化される。図１〜図４に示されているパレット１の場合、表面の構造は統計学的な凹凸である。パレット１の他の実施形態では、構造化された表面は規則的なパターンとしても不規則的なパターンとしてもよい。例えば、このパターンは、表面から突出するか若しくは表面の窪みである畝又は半球によって形成することができる。統計学的な凹凸の代わりに表面にパターンを有する場合、パターンのより高い部分は、実施形態に応じて表面の６０％、４５％、又は３０％をカバーする。さらに、平均表面高さに対して垂直に測定されるパターンのより高い部分とより低い部分との間の距離は、特定の実施形態に応じて１．５ｍｍ、０．７５ｍｍ、又は０．２５ｍｍである。
【００９７】
図５は、本発明に係る第２パレットの８つの支持要素９．１、９．３、９．５、９．７、１４．１、１４．２、１４．３、１４．４の上面図を示している。この第２パレットのキャリア構造体７は、図１〜図４に示されているパレット１のうちの１つと同じであるため図示しない。
【００９８】
図１〜図４に示されているパレット１の８つの支持要素９．１、．．．、９．８と比較して、第２パレットの８つの支持要素のうちの４つの支持要素１４．１、１４．２、１４．３、１４．４は、第２パレットの他の４つの支持要素９．１、９．３、９．５、９．７よりも長い経路に沿って可動であるようにより大きい高さを有する。したがって、８つの支持要素のうちの４つの第１組の支持要素９．１、９．３、９．５、９．７は、第１長さを有する第１経路に沿って可動であり、一方、８つの支持要素のうちの４つの第２組の支持要素１４．１、１４．２、１４．３、１４．４は、第１長さよりも大きい第２長さを有する第２経路に沿って可動である。したがって、生タイヤは、３つのステップにおいて第２パレットから取り外される。第１ステップにおいて、生タイヤを第１表面セクションから取り外す。第２ステップにおいて、生タイヤを第１組の支持要素９．１、９．３、９．５、９．７から取り外し、第３のステップにおいて、第２組の支持要素１４．１、１４．２、１４．３、１４．４から取り外す。この第２パレットにおいて、キャリア構造体の開口部に支持要素９．１、９．３、９．５、９．７、１４．１、１４．２、１４．３、１４．４のいくつかの構成が可能である。図５に示されている例において、支持要素９．１、９．３、９．５、９．７、１４．１、１４．２、１４．３、１４．４のうちの第１組の支持要素９．１、９．３、９．５、９．７及び第２組の支持要素１４．１、１４．２、１４．３、１４．４の双方は、交差線１５．１、１５．２において配置されている。第１組の支持要素９．１、９．３、９．５、９．７の交差線１５．１は、第２組の支持要素１４．１、１４．２、１４．３、１４．４の交差線１５．２に対して鉛直軸の回りに４５度回転している。この構成では、支持要素９．１、９．３、９．５、９．７、１４．１、１４．２、１４．３、１４．４の双方の組の支持要素９．１、９．３、９．５、９．７、１４．１、１４．２、１４．３、１４．４は、支持面にわたって規則的なパターンで分散されている。したがって、第２パレットから取り外される際、生タイヤは捻りモーメントを受けない。
【００９９】
本発明は、図１〜図４に示されているパレット１及び図５に示されている第２パレットに限定されない。
【０１００】
本発明の別の実施形態において、８つの支持要素のそれぞれは、異なる長さを有する異なる経路に沿って可動である。この場合、支持要素は、最短の経路を有する支持要素を起点として支持面の回りを円形に進むにつれ、隣接する各支持要素がその前の支持要素よりも長い経路を有し、円の終端において、最長の経路を有する支持要素が、最短の経路を有する支持要素の隣に位置するように構成することができる。
【０１０１】
本発明の上述の実施形態のうちのいずれにおいても、支持要素はともに接続することができる。この接続部は、例えば、キャリア構造体の下側又は上側に配置することができる。この場合、支持要素は経路に沿ってともに可動である。パレットが２組以上の支持要素を備える場合、各組の支持要素は異なる長さを有する経路に沿って可動であり、支持要素の各組に属する支持要素はともに接続することができる。
【０１０２】
さらに、本発明の上述の実施形態のうちのいずれにおいても、支持要素のうちのそれぞれは、ばねによって第１位置に向かって付勢することができる。これらのばねは、例えば、キャリア構造体の下側に配置することができる。
【０１０３】
本発明の更なる一実施形態において、支持要素は、経路に沿って変位可能でないが、キャリア構造体に装着される軸の回りに枢動可能であるフラップである。この場合、フラップは並進運動で移動せずに枢動する。この場合、フラップの動きは、支持要素が経路の第１端及び場合によっては第２端において停止するように制限することができる。この場合、支持要素の経路は、本質的に鉛直方向に向けることもできる。図１〜図５に示されているパレットに示されているように、支持要素は、支持面の円錐体の基部に沿って装着される軸の回りに枢動可能とすることができる。この場合、支持要素が第１位置に配置される場合、支持要素の下端部はリング上に位置する。支持要素が経路の第２端に移動する場合、下端部はリングから上昇する。この例において、異なる支持要素の経路は上述のように異なる長さを有することができる。さらに、図５に示されている第２パレットに関して、上述した異なる長さを有する経路に沿って可動である、３組以上の支持要素があってもよい。
【０１０４】
更に別の実施形態において、支持要素は経路に沿って変位可能であるとともに、それぞれの支持要素に装着される軸の回りに枢動可能であるフラップを備える。
【０１０５】
当然ながら、本発明は上述のパレットに限定されない。本発明の実施形態は、パレットの代わりに任意の他のキャリアの形態を有することができる。さらに、支持面の形状は上述のものとは異なってもよい。例えば、支持面は平坦でもよく、又は、２つの合体した円錐形状に従ってもよい。さらに、支持要素の数は８つに限定されない。例えば、支持要素は１つのみであってもよい。しかし、任意の他の数の支持要素も同様に可能である。さらに、キャリアが２つ以上の生タイヤを同時に支持することができるように、キャリアにつき２つ以上の支持面があってもよい。
【０１０６】
要約すると、キャリアから生タイヤをより小さい力で取り外すことが可能であり、キャリアによって保持される生タイヤにおける望ましくない変形を防止するキャリアが提供されることが留意される。
【図１】
2016528117.tif 000003
【図２】
2016528117.tif 000004
【図３】
2016528117.tif 000005
【図４】
2016528117.tif 000006
【図５】
2016528117.tif 000007
【国際調査報告】
2016528117.tif 000008
2016528117.tif 000009
2016528117.tif 000010